【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
第１の基地局におけるワイヤレス通信のための方法であって、
車両からロケーション情報を受信することと、
前記ロケーション情報に少なくとも部分的に基づいて、前記車両に関連するロケーションメッセージをブロードキャストすべき複数のセルを識別することと、前記複数のセルが第２の基地局のセルを含み、ここにおいて、前記ロケーションメッセージが前記ロケーション情報に少なくとも部分的に基づく、
前記ロケーションメッセージが前記複数のセルの各セルからブロードキャストされるのと同じ時間に、単一周波数ネットワーク上で前記ロケーションメッセージをブロードキャストすべき少なくとも１つのサブフレームのセットを識別することと、
前記ロケーションメッセージの前記ブロードキャストに関して、少なくとも前記第２の基地局と通信することと
を備える、方法。
【請求項２】
前記ロケーション情報がアクセス層（ＡＳ）レイヤ上で前記車両から受信される、請求項１に記載の方法。
【請求項３】
前記ロケーションメッセージのためのターゲットブロードキャスト範囲を識別することをさらに備え、
ここにおいて、前記複数のセルが、前記ターゲットブロードキャスト範囲に少なくとも部分的に基づいてさらに識別される、
請求項１に記載の方法。
【請求項４】
前記ターゲットブロードキャスト範囲が、前記ロケーションメッセージのタイプ、または前記車両のタイプ、または前記車両から前記ターゲットブロードキャスト範囲を受信すること、またはそれらの組合せに少なくとも部分的に基づいて識別される、請求項３に記載の方法。
【請求項５】
いくつかの隣接セルの各セルのロケーションおよびカバレージエリアを識別すること
をさらに備え、
ここにおいて、前記複数のセルが、前記いくつかの隣接セルのうちの少なくとも１つの前記ロケーションおよびカバレージエリアに少なくとも部分的に基づいてさらに識別される、
請求項１に記載の方法。
【請求項６】
前記車両から、前記ロケーションメッセージのコンテンツ、または前記ロケーションメッセージのタイプ、またはそれらの組合せのうちの少なくとも１つを備える、ロケーションメッセージ情報を受信すること
をさらに備える、請求項１に記載の方法。
【請求項７】
前記車両から前記ロケーションメッセージ情報を受信した後に、所定の数の時間単位の間、前記ロケーションメッセージをブロードキャストすることを控えること
をさらに備える、請求項６に記載の方法。
【請求項８】
少なくとも前記第２の基地局と通信することが、
少なくとも前記第２の基地局に、前記ロケーションメッセージのコンテンツ、または前記ロケーションメッセージのタイプ、または前記ロケーション情報、または前記複数のセルの指示、またはそれらの組合せを送信すること
を備える、請求項１に記載の方法。
【請求項９】
少なくとも１つのサブフレームの前記セットを識別することが、
前記ロケーション情報に関連する地理的エリアを識別することと、
前記地理的エリアを使用して、少なくとも１つのサブフレームのセットに対する地理的エリアのマッピングをインデックス付けすることと
を備える、請求項１に記載の方法。
【請求項１０】
システム情報ブロック（ＳＩＢ）、または専用無線リソース制御（ＲＲＣ）シグナリング、またはそれらの組合せのうちの少なくとも１つ中で、少なくとも１つのサブフレームのセットに対する地理的エリアの前記マッピングをブロードキャストすること
をさらに備える、請求項９に記載の方法。
【請求項１１】
前記複数のセルの各セルに知られているメッセージ順序に従って、前記地理的エリア中にある複数の車両に関係する複数のロケーションメッセージをブロードキャストすること
をさらに備える、請求項９に記載の方法。
【請求項１２】
前記メッセージ順序は、前記地理的エリア内の車両ロケーションの順序付け、前記複数のロケーションメッセージのロケーションメッセージが送信のためにキューイングされる時間順序、前記ロケーションメッセージが前記複数の車両から受信される時間順序、またはそれらの組合せに少なくとも部分的に基づく、請求項１１に記載の方法。
【請求項１３】
前記少なくとも１つのサブフレーム中のサブフレームの物理ダウンリンク制御チャネル（ＰＤＣＣＨ）上で前記ロケーションメッセージのためのスケジューリング情報を送信すること、前記スケジューリング情報が、ロケーションメッセージを車両にブロードキャストするために予約されたセル無線ネットワーク一時識別子（Ｃ−ＲＮＴＩ）に関連する、
をさらに備える、請求項１に記載の方法。
【請求項１４】
前記サブフレームの前記ＰＤＣＣＨ上で少なくとも１つの非車両データ送信のためのスケジューリング情報を送信すること
をさらに備える、請求項１３に記載の方法。
【請求項１５】
前記ロケーション情報に関連する地理的エリアを識別することと、
前記地理的エリアを使用して、セル無線ネットワーク一時識別子（Ｃ−ＲＮＴＩ）に対する地理的エリアのマッピングをインデックス付けすることと、
サブフレームの物理ダウンリンク制御チャネル（ＰＤＣＣＨ）上で前記ロケーションメッセージのためのスケジューリング情報を送信することと、前記スケジューリング情報が、前記地理的エリアにマッピングされたＣ−ＲＮＴＩに関連する、
をさらに備える、請求項１に記載の方法。
【請求項１６】
システム情報ブロック（ＳＩＢ）、または専用無線リソース制御（ＲＲＣ）シグナリング、またはそれらの組合せのうちの少なくとも１つ中で、Ｃ−ＲＮＴＩに対する地理的エリアの前記マッピングをブロードキャストすること
をさらに備える、請求項１５に記載の方法。
【請求項１７】
車両におけるワイヤレス通信のための方法であって、
アクセス層（ＡＳ）レイヤ上で前記車両から基地局にロケーション情報を送信することと、
前記基地局にロケーションメッセージのためのターゲットブロードキャスト範囲を送信することと、
前記基地局にロケーションメッセージ情報を送信することと
を備える、方法。
【請求項１８】
前記ロケーションメッセージ情報が、ロケーションメッセージのコンテンツ、または前記ロケーションメッセージのタイプ、またはそれらの組合せのうちの少なくとも１つを備える、請求項１７に記載の方法。
【請求項１９】
前記ロケーション情報と前記ロケーションメッセージ情報とが同じサブフレーム中で送信される、請求項１７に記載の方法。
【請求項２０】
システム情報ブロック（ＳＩＢ）、または専用無線リソース制御（ＲＲＣ）シグナリング、またはそれらの組合せのうちの少なくとも１つ中で、少なくとも１つのサブフレームのセットに対する地理的エリアのマッピングを受信することと、
前記車両のロケーションに関連する地理的エリアを識別することと、
前記地理的エリアにマッピングされた少なくとも１つのサブフレームのセット中で送信を監視することと
をさらに備える、請求項１７に記載の方法。
【請求項２１】
システム情報ブロック（ＳＩＢ）、または専用無線リソース制御（ＲＲＣ）シグナリング、またはそれらの組合せのうちの少なくとも１つ中で、セル無線ネットワーク一時識別子（Ｃ−ＲＮＴＩ）に対する地理的エリアのマッピングを受信することと、
前記車両のロケーションに関連する地理的エリアを識別することと、
前記地理的エリアにマッピングされた少なくとも１つのＣ−ＲＮＴＩに関連する送信を監視することと
をさらに備える、請求項１７に記載の方法。
【請求項２２】
第１の基地局におけるワイヤレス通信のための装置であって、
受信機と、
送信機と、
プロセッサと、
前記プロセッサと電子通信しているメモリと、
前記メモリ中に記憶され、および前記装置に、
車両からロケーション情報を受信することと、
前記ロケーション情報に少なくとも部分的に基づいて、前記車両に関連するロケーションメッセージをブロードキャストすべき複数のセルを識別することと、前記複数のセルが第２の基地局のセルを含み、ここにおいて、前記ロケーションメッセージが前記ロケーション情報に少なくとも部分的に基づく、
前記ロケーションメッセージが前記複数のセルの各セルからブロードキャストされるのと同じ時間に、単一周波数ネットワーク上で前記ロケーションメッセージをブロードキャストすべき少なくとも１つのサブフレームのセットを識別することと、
前記ロケーションメッセージの前記ブロードキャストに関して、少なくとも前記第２の基地局と通信することと
を行わせるように前記プロセッサによって実行可能な命令と
を備える、装置。
【請求項２３】
前記ロケーション情報がアクセス層（ＡＳ）レイヤ上で前記車両から受信される、請求項２２に記載の装置。
【請求項２４】
前記メモリ中に記憶され、および前記プロセッサによって実行可能な前記命令が、前記装置に、
前記ロケーションメッセージのためのターゲットブロードキャスト範囲を識別すること
をさらに行わせ、
ここにおいて、前記複数のセルが、前記ターゲットブロードキャスト範囲に少なくとも部分的に基づいてさらに識別される、
請求項２２に記載の装置。
【請求項２５】
前記ターゲットブロードキャスト範囲が、前記ロケーションメッセージのタイプ、または前記車両のタイプ、または前記車両から前記ターゲットブロードキャスト範囲を受信すること、またはそれらの組合せに少なくとも部分的に基づいて識別される、請求項２４に記載の装置。
【請求項２６】
前記メモリ中に記憶され、および前記プロセッサによって実行可能な前記命令が、前記装置に、
いくつかの隣接セルの各セルのロケーションおよびカバレージエリアを識別すること
をさらに行わせ、
ここにおいて、前記複数のセルが、前記いくつかの隣接セルのうちの少なくとも１つの前記ロケーションおよびカバレージエリアに少なくとも部分的に基づいてさらに識別される、
請求項２２に記載の装置。
【請求項２７】
前記メモリ中に記憶され、および前記プロセッサによって実行可能な前記命令が、前記装置に、
前記車両から、前記ロケーションメッセージのコンテンツ、または前記ロケーションメッセージのタイプ、またはそれらの組合せのうちの少なくとも１つを備える、ロケーションメッセージ情報を受信すること
をさらに行わせる、請求項２２に記載の装置。
【請求項２８】
車両におけるワイヤレス通信のための装置であって、
受信機と、
送信機と、
プロセッサと、
前記プロセッサと電子通信しているメモリと、
前記メモリ中に記憶され、および前記装置に、
アクセス層（ＡＳ）レイヤ上で前記車両から基地局にロケーション情報を送信することと、
前記基地局にロケーションメッセージのためのターゲットブロードキャスト範囲を送信することと、
前記基地局にロケーションメッセージ情報を送信することと
を行わせるように前記プロセッサによって実行可能な命令と
を備える、装置。